(57)【要約】【課題】扇風機を利用して空気に含まれる臭気成分やたばこ臭、ノネナール臭を取り除くことができる扇風機用脱臭具を提供する。【解決手段】扇風機用脱臭具１０Ａは、空気に含まれる臭いを除去する所定面積の脱臭フィルタ１３と、脱臭フィルタ１３を支持する支持フレーム１４とから形成されている。脱臭フィルタ１３の第１側方エリア１６と第２側方エリア１７との間には、支持フレーム１４の内側フレームに囲繞されてモーターケースが位置するスペース３４が画成されている。脱臭フィルタ１３の上方エリア１５に延びる内側フレームには、モーターケースに着脱可能に固着されるメカニカルファスナが取り付けられている。【選択図】図１
2016098699.tif 000002
【特許請求の範囲】
【請求項１】
前面および後面を有して空気に含まれる臭いを除去する所定面積の脱臭フィルタと、前記脱臭フィルタを支持する支持フレームとから形成され、扇風機に取り付けられる扇風機用脱臭具において、
前記脱臭フィルタが、前記扇風機の後ガードの後方に位置するモーターケースの頂部を取り囲む上方エリアと、前記上方エリアから前記扇風機のベースに向かって下方へ延びていて前記モーターケースの一方の側部を取り囲む第１側方エリアと、前記上方エリアから前記扇風機のベースに向かって下方へ延びていて前記モーターケースの他方の側部を取り囲む第２側方エリアとを有し、
前記支持フレームが、前記脱臭フィルタの上方エリアと第１および第２側方エリアとの外周縁に延びる外側フレームと、前記外側フレームにつながって前記脱臭フィルタの上方エリアと第１および第２側方エリアとの内周縁に延びる内側フレームとから形成され、
前記内側フレームに囲繞されて前記モーターケースが位置するスペースが、前記第１側方エリアと前記第２側方エリアとの間に画成され、前記モーターケースに着脱可能に固着される固着手段が、前記脱臭フィルタの上方エリアに延びる前記内側フレームに形成されていることを特徴とする扇風機用脱臭具。
【請求項２】
前記扇風機用脱臭具が、前記固着手段を介して前記後ガードの直後に位置するモーターケースの頂部に着脱可能に固着され、前記扇風機用脱臭具では、それが前記扇風機に取り付けられたときに、前記脱臭フィルタの上方エリアと第１および第２側方エリアとが前記後ガードの直後に位置する請求項１に記載の扇風機用脱臭具。
【請求項３】
前記扇風機用脱臭具が、前記固着手段を介して前記後ガードの直後に位置するモーターケースの頂部に形成された取っ手に着脱可能に固着され、前記扇風機用脱臭具では、それが前記扇風機に取り付けられたときに、前記脱臭フィルタの上方エリアと第１および第２側方エリアとが前記後ガードの直後に位置する請求項１に記載の扇風機用脱臭具。
【請求項４】
前記扇風機用脱臭具では、それが前記扇風機に取り付けられたときに、前記脱臭フィルタの上方エリアと第１および第２側方エリアとの外周縁が前記扇風機の羽根の径方向先端部の近傍に位置する請求項１ないし請求項３いずれかに記載の扇風機用脱臭具。
【請求項５】
前記扇風機用脱臭具では、それが前記扇風機に取り付けられたときに、前記脱臭フィルタの上方エリアと第１および第２側方エリアとの外周縁が前記後ガードの外周縁と前記扇風機の羽根の径方向先端部との間に位置する請求項１ないし請求項３いずれかに記載の扇風機用脱臭具。
【請求項６】
前記支持フレームが、前記外側フレームと前記内側フレームとに繋がって径方向へ延びる連結フレームを含む請求項１ないし請求項５いずれかに記載の扇風機用脱臭具。
【請求項７】
前記脱臭フィルタが、前記前後面間に延びる複数の通気路を有する連続気泡の軟質ポリウレタンフォームと、前記軟質ポリウレタンフォームの壁面に所定のバインダーを介して固着された活性炭粉末と、前記軟質ポリウレタンフォームの全体を包被する通気性の包装シートとから形成されている請求項１ないし請求項６いずれかに記載の扇風機用脱臭具。
【請求項８】
前記脱臭フィルタが、活性炭粉末を混入したポリエーテル系フォーム原料または活性炭粉末を混入したポリエステル系フォーム原料を発泡させて作られて前記前後面間に延びる複数の通気路を有する連続気泡の軟質ポリウレタンフォームと、前記軟質ポリウレタンフォームの全体を包被する通気性の包装シートとから形成されている請求項１ないし請求項６いずれかに記載の扇風機用脱臭具。
【請求項９】
前記複数の通気路が、前記軟質ポリウレタンフォームの壁面に囲繞されて該ポリウレタンフォームの内部に画成され、前記前面と前記後面との間で前記軟質ポリウレタンフォームの厚み方向へ不規則に曲折しながら延びているとともに、前記外周縁と前記内周縁との間で該ポリウレタンフォームの径方向へ不規則に曲折しながら延びている請求項７または請求項８に記載の扇風機用脱臭具。
【請求項１０】
前記径方向へ隣接して前記厚み方向へ曲折して延びるそれら通気路が、前記径方向において部分的に繋がり、前記厚み方向へ隣接して前記径方向へ曲折して延びるそれら通気路が、前記厚み向において部分的に繋がっている請求項９に記載の扇風機用脱臭具。
【請求項１１】
前記軟質ポリウレタンフォームでは、それら通気路の開口面積が前記厚み方向に向かって不規則に変化しているとともに前記径方向に向かって不規則に変化し、それら通気口の面積が相違している請求項９または請求項１０に記載の扇風機用脱臭具。
【請求項１２】
前記軟質ポリウレタンフォームの厚み寸法が、５〜２０ｍｍの範囲にあり、前記軟質ポリウレタンフォームの質量が、４０〜８０ｇの範囲にある請求項９ないし請求項１１いずれかに記載の扇風機用脱臭具。
【請求項１３】
前記軟質ポリウレタンフォームの面速が、２０〜４０ｃｍ／ｓｅｃの範囲にある請求項９ないし請求項１２いずれかに記載の扇風機用脱臭具。
【請求項１４】
前記包装シートが、所定のメッシュ数を有するネットまたは微細な不純物の捕集機能を有するエアフィルタである請求項１ないし請求項１３いずれかに記載の扇風機用脱臭具。
【請求項１５】
前記包装シートが、所定のメッシュ数を有して前記前面と前記後面とのうちのいずれか一方の面に位置するネットと、微細な不純物の捕集機能を有して前記前面と前記後面とのうちのいずれか他方の面に位置するエアフィルタとから作られている請求項１ないし請求項１３いずれかに記載の扇風機用脱臭具。
【発明の詳細な説明】
【技術分野】
【０００１】
本発明は、扇風機から送風される空気に含まれる臭いを取り除く扇風機用脱臭具に関する。
【背景技術】
【０００２】
扇風機の回転羽根をガードする後ガードの背面を外方から被覆可能な環状のフィルタ材と、そのフィルタ材を展開状態で保持する環状の枠形状を有したフレームと、そのフレームを羽根ガードに係止する係止部材とを備え、フィルタ材が周方向に向かって複数の部分フィルタ材に分割され、フレームが周方向に向かって複数の部分フレームに分割された扇風機用フィルタが開示されている（特許文献１参照）。この扇風機用フィルタは、扇風機に容易に着脱することができ、フィルタのうちの破損した部分フィルタ材や汚れた部分フィルタ材のみを交換することができる。
【先行技術文献】
【特許文献】
【０００３】
【特許文献１】特開２００５−２４０６９７号公報
【発明の概要】
【発明が解決しようとする課題】
【０００４】
前記特許文献１に開示の扇風機用フィルタは、扇風機を通過する空気に含まれる塵埃を取り除くことはできるが、空気に含まれる臭気成分やたばこ臭、ノネナール臭を取り除くことはできない。なお、空気に含まれる臭気成分には、アンモニア、トリメチルアミンやトリエチルアミン、トリアルアミン等の窒素含有化合物を主成分とした塩基性臭気成分、硫化水素や硫化メチル、二硫化メチル、メチルメルカプタン等の硫黄含有化合物、ホルムアルデヒドやアセトアルデヒド、ブチルアルデヒド、バレルアルデヒド、プロピオンアルデヒド等のアルデヒド類を主成分とした中性臭気成分、ギ酸や酢酸、プロピオン酸、吉草酸等の低級脂肪酸類を主成分とした酸性臭気成分、トルエンやキシレン、ブタノール、メチルイソブチルケトンが含まれる。
【０００５】
本発明の目的は、扇風機を利用して空気に含まれる臭気成分やたばこ臭、ノネナール臭を取り除くことができ、扇風機による送風と同時に扇風機を利用して清浄な空気を送気することができる扇風機用脱臭具を提供することにある。
【課題を解決するための手段】
【０００６】
前記課題を解決するための本発明の前提は、前面および後面を有して空気に含まれる臭いを除去する所定面積の脱臭フィルタと、脱臭フィルタを支持する支持フレームとから形成され、扇風機に取り付けられる扇風機用脱臭具である。
【０００７】
前記前提における本発明の特徴は、脱臭フィルタが、扇風機の後ガードの後方に位置するモーターケースの頂部を取り囲む上方エリアと、上方エリアから扇風機のベースに向かって下方へ延びていてモーターケースの一方の側部を取り囲む第１側方エリアと、上方エリアから扇風機のベースに向かって下方へ延びていてモーターケースの他方の側部を取り囲む第２側方エリアとを有し、支持フレームが、脱臭フィルタの上方エリアと第１および第２側方エリアとの外周縁に延びる外側フレームと、外側フレームにつながって脱臭フィルタの上方エリアと第１および第２側方エリアとの内周縁に延びる内側フレームとから形成され、内側フレームに囲繞されてモーターケースが位置するスペースが、第１側方エリアと第２側方エリアとの間に画成され、モーターケースに着脱可能に固着される固着手段が、脱臭フィルタの上方エリアに延びる内側フレームに形成されていることにある。
【０００８】
本発明の一例としては、扇風機用脱臭具が固着手段を介して後ガードの直後に位置するモーターケースの頂部に着脱可能に固着され、扇風機用脱臭具では、それが扇風機に取り付けられたときに、脱臭フィルタの上方エリアと第１および第２側方エリアとが後ガードの直後に位置する。
【０００９】
本発明の他の一例としては、扇風機用脱臭具が固着手段を介して後ガードの直後に位置するモーターケースの頂部に形成された取っ手に着脱可能に固着され、扇風機用脱臭具では、それが扇風機に取り付けられたときに、脱臭フィルタの上方エリアと第１および第２側方エリアとが後ガードの直後に位置する。
【００１０】
本発明の他の一例として、扇風機用脱臭具では、それが扇風機に取り付けられたときに、脱臭フィルタの上方エリアと第１および第２側方エリアとの外周縁が扇風機の羽根の径方向先端部の近傍に位置する。
【００１１】
本発明の他の一例として、扇風機用脱臭具では、それが扇風機に取り付けられたときに、脱臭フィルタの上方エリアと第１および第２側方エリアとの外周縁が後ガードの外周縁と扇風機の羽根の径方向先端部との間に位置する。
【００１２】
本発明の他の一例としては、支持フレームが外側フレームと内側フレームとに繋がって径方向へ延びる連結フレームを含む。
【００１３】
本発明の他の一例としては、脱臭フィルタが、前後面間に延びる複数の通気路を有する連続気泡の軟質ポリウレタンフォームと、軟質ポリウレタンフォームの壁面に所定のバインダーを介して固着された活性炭粉末と、軟質ポリウレタンフォームの全体を包被する通気性の包装シートとから形成されている。
【００１４】
本発明の他の一例としては、脱臭フィルタが、活性炭粉末を混入したポリエーテル系フォーム原料または活性炭粉末を混入したポリエステル系フォーム原料を発泡させて作られて前後面間に延びる複数の通気路を有する連続気泡の軟質ポリウレタンフォームと、軟質ポリウレタンフォームの全体を包被する通気性の包装シートとから形成されている。
【００１５】
本発明の他の一例としては、複数の通気路が、軟質ポリウレタンフォームの壁面に囲繞されて該ポリウレタンフォームの内部に画成され、前面と後面との間で軟質ポリウレタンフォームの厚み方向へ不規則に曲折しながら延びているとともに、外周縁と内周縁との間でポリウレタンフォームの径方向へ不規則に曲折しながら延びている。
【００１６】
本発明の他の一例としては、径方向へ隣接して厚み方向へ曲折して延びるそれら通気路が径方向において部分的に繋がり、厚み方向へ隣接して径方向へ曲折して延びるそれら通気路が厚み向において部分的に繋がっている。
【００１７】
本発明の他の一例として、軟質ポリウレタンフォームでは、それら通気路の開口面積が厚み方向に向かって不規則に変化しているとともに径方向に向かって不規則に変化し、それら通気口の面積が相違している。
【００１８】
本発明の他の一例としては、軟質ポリウレタンフォームの厚み寸法が５〜２０ｍｍの範囲にあり、軟質ポリウレタンフォームの質量が４０〜８０ｇの範囲にある。
【００１９】
本発明の他の一例としては、軟質ポリウレタンフォームの面速が２０〜４０ｃｍ／ｓｅｃの範囲にある。
【００２０】
本発明の他の一例としては、包装シートが所定のメッシュ数を有するネットまたは微細な不純物の捕集機能を有するエアフィルタである。
【００２１】
本発明の他の一例としては、包装シートが、所定のメッシュ数を有して前面と後面とのうちのいずれか一方の面に位置するネットと、微細な不純物の捕集機能を有して前面と後面とのうちのいずれか他方の面に位置するエアフィルタとから作られている。
【発明の効果】
【００２２】
本発明にかかる扇風機用脱臭具によれば、それが空気に含まれる臭いを除去する脱臭フィルタを含むから、扇風機に流入する空気が脱臭フィルタを通過するときに、空気に含まれる臭気成分やたばこ臭、ノネナール臭を脱臭フィルタによって除去することができ、扇風機を通過する空気に含まれる臭気成分やたばこ臭、ノネナール臭を取り除くことができる。扇風機用脱臭具は、空気に含まれる臭気成分やたばこ臭、ノネナール臭が脱臭フィルタによって除去されるから、それら臭いを除去した清浄な空気を作ることができ、扇風機による送風と同時に扇風機を利用して無臭かつ清浄な空気を扇風機の前方へ送風することができる。扇風機用脱臭具は、後ガードから扇風機の羽根に流入する空気の流速が遅く、空気が脱臭フィルタをゆっくりと通過するから、空気の脱臭フィルタに対する接触時間を長くすることができ、空気に含まれる臭いを確実に除去することができる。扇風機用脱臭具は、室内の空気が扇風機の稼働中に脱臭フィルタを通過した後、再び脱臭フィルタを通過し、空気が脱臭フィルタを繰り返し通流（循環）するから、室内の空気が脱臭フィルタによって次第に浄化され、扇風機を長時間稼働させることでその脱臭機能を十分に発揮させることができる。
【００２３】
扇風機用脱臭具が固着手段を介して後ガードの直後に位置するモーターケースの頂部に着脱可能に固着され、扇風機用脱臭具が扇風機に取り付けられたときに、脱臭フィルタの上方エリアと第１および第２側方エリアとが後ガードの直後に位置する扇風機用脱臭具は、脱臭フィルタの上方エリアと第１および第２側方エリアとが後ガードの直後に位置することで、扇風機に流入する空気が脱臭フィルタを確実に通過するから、扇風機に流入する空気に含まれる臭気成分やたばこ臭、ノネナール臭を脱臭フィルタによって確実に取り除くことができ、扇風機を利用して無臭かつ清浄な空気を扇風機の前方へ送風することができる。
【００２４】
扇風機用脱臭具が固着手段を介して後ガードの直後に位置するモーターケースの頂部に形成された取っ手に着脱可能に固着され、扇風機用脱臭具が扇風機に取り付けられたときに、脱臭フィルタの上方エリアと第１および第２側方エリアとが後ガードの直後に位置する扇風機用脱臭具は、脱臭フィルタの上方エリアと第１および第２側方エリアとが後ガードの直後に位置することで、扇風機に流入する空気が脱臭フィルタを確実に通過するから、扇風機に流入する空気に含まれる臭気成分やたばこ臭、ノネナール臭を脱臭フィルタによって確実に取り除くことができ、扇風機を利用して無臭かつ清浄な空気を扇風機の前方へ送風することができる。
【００２５】
扇風機用脱臭具が扇風機に取り付けられたときに、脱臭フィルタの上方エリアと第１および第２側方エリアとの外周縁が扇風機の羽根の径方向先端部の近傍に位置する扇風機用脱臭具は、扇風機の羽根の略全域に流入する空気のすべてを脱臭フィルタに通過させることができるとともに、扇風機から送風される空気の略すべてを浄化することができ、脱臭フィルタによって臭気成分やたばこ臭、ノネナール臭が除去された清浄な空気を扇風機の前方へ送風することができる。
【００２６】
扇風機用脱臭具が扇風機に取り付けられたときに、脱臭フィルタの上方エリアと第１および第２側方エリアとの外周縁が後ガードの外周縁と扇風機の羽根の径方向先端部との間に位置する扇風機用脱臭具は、扇風機の後ガードの略全域から流入する空気のすべてを脱臭フィルタに通過させることができるとともに、扇風機から送風される空気の略すべてを浄化することができ、脱臭フィルタによって臭気成分やたばこ臭、ノネナール臭が除去された清浄な空気を扇風機の前方へ送風することができる。
【００２７】
支持フレームが外側フレームと内側フレームとに繋がって径方向へ延びる連結フレームを含む扇風機用脱臭具は、外側フレームや内側フレーム、連結フレームによって脱臭フィルタが支持され、それらフレームによって脱臭フィルタが確実に支持されるから後ガードから羽根に向かって進入する空気によって脱臭フィルタが変形することはなく、空気を脱臭フィルタ全体に満遍なく通流させることができ、扇風機を通流する空気に含まれる臭気成分やたばこ臭、ノネナール臭を脱臭フィルタによって確実に取り除くことができる。
【００２８】
脱臭フィルタが複数の通気路を有する連続気泡の軟質ポリウレタンフォームと軟質ポリウレタンフォームの壁面に固着された活性炭粉末と軟質ポリウレタンフォームの全体を包被する通気性の包装シートとから形成された扇風機用脱臭具は、扇風機の後ガードから羽根に向かって進入する空気が軟質ポリウレタンフォームに形成された複数の通気路を通流するときに、ポリウレタンフォームの壁面に塗布された活性炭に接触し、空気に含まれる臭気成分やたばこ臭、ノネナール臭が活性炭に吸着されるから、扇風機に流入する空気に含まれる臭いを脱臭フィルタによって確実に取り除くことができる。扇風機用脱臭具は、空気に含まれる臭気成分やたばこ臭、ノネナール臭が軟質ポリウレタンフォームの壁面に塗布された活性炭によって除去されるから、それら臭いを除去した清浄な空気を作ることができ、扇風機による送風と同時に無臭かつ清浄な空気を扇風機の前方へ送風することができる。扇風機用脱臭具は、後ガードから扇風機の羽根に進入する空気の流速が遅く、空気が軟質ポリウレタンフォームのそれら通気路をゆっくりと通流するから、空気の活性炭に対する接触時間を長くすることができ、空気に含まれる臭いを活性炭に確実に吸着させることができる。扇風機用脱臭具は、室内の空気が扇風機の稼働中に軟質ポリウレタンフォームの通気路を通流した後、ポリウレタンフォームの通気路を通流し、空気がポリウレタンフォームの通気路を繰り返し通流（循環）するから、室内の空気が脱臭フィルタによって次第に浄化され、扇風機を長時間稼働させることでその脱臭機能を十分に発揮させることができる。
【００２９】
脱臭フィルタが活性炭粉末を混入したポリエーテル系フォーム原料または活性炭粉末を混入したポリエステル系フォーム原料を発泡させて作られて複数の通気路を有する連続気泡の軟質ポリウレタンフォームと軟質ポリウレタンフォームの全体を包被する通気性の包装シートとから形成された扇風機用脱臭具は、扇風機の後ガードから羽根に向かって進入する空気が軟質ポリウレタンフォームに形成された複数の通気路を通流するときに、ポリウレタンフォームの壁面に塗布された活性炭に接触し、空気に含まれる臭気成分やたばこ臭、ノネナール臭が活性炭に吸着されるから、扇風機に流入する空気に含まれる臭いを脱臭フィルタによって確実に取り除くことができる。扇風機用脱臭具は、空気に含まれる臭気成分やたばこ臭、ノネナール臭が軟質ポリウレタンフォームの壁面に塗布された活性炭によって除去されるから、それら臭いを除去した清浄な空気を作ることができ、扇風機による送風と同時に無臭かつ清浄な空気を扇風機の前方へ送風することができる。扇風機用脱臭具は、後ガードから扇風機の羽根に進入する空気の流速が遅く、空気が軟質ポリウレタンフォームのそれら通気路をゆっくりと通流するから、空気の活性炭に対する接触時間を長くすることができ、空気に含まれる臭いを活性炭に確実に吸着させることができる。扇風機用脱臭具は、室内の空気が扇風機の稼働中に軟質ポリウレタンフォームの通気路を通流した後、ポリウレタンフォームの通気路を通流し、空気がポリウレタンフォームの通気路を繰り返し通流（循環）するから、室内の空気が脱臭フィルタによって次第に浄化され、扇風機を長時間稼働させることでその脱臭機能を十分に発揮させることができる。
【００３０】
それら通気路が軟質ポリウレタンフォームの壁面に囲繞されてポリウレタンフォームの内部に画成され、それら通気路が軟質ポリウレタンフォームの厚み方向へ不規則に曲折しながら延びているとともにポリウレタンフォームの径方向へ不規則に曲折しながら延びている扇風機用脱臭具は、それら通気路が軟質ポリウレタンフォームの厚み方向や径方向へ直状に延びる場合と比較し、ポリウレタンフォームの内部における通気路の全長を長くなり、ポリウレタンフォームの壁面の比表面積を大きくなるから、活性炭に対する空気の接触時間を長くすることができるから、活性炭を塗布したポリウレタンフォームや活性炭を混入したポリウレタンフォームの臭気吸着機能を向上させることができ、扇風機に流入する空気に含まれる臭気成分やたばこ臭、ノネナール臭をポリウレタンフォームに塗布された活性炭やポリウレタンフォームに混入された活性炭に十分かつ確実に吸着させることができる。扇風機用脱臭具は、空気に含まれる臭気成分やたばこ臭、ノネナール臭がポリウレタンフォームに塗布された活性炭やポリウレタンフォームに混入された活性炭によって除去されるから、それら臭いを除去した清浄な空気を作ることができ、扇風機による送風と同時に無臭かつ清浄な空気を扇風機の前方へ送風することができる。
【００３１】
径方向へ隣接して厚み方向へ曲折して延びるそれら通気路が径方向において部分的に繋がり、厚み方向へ隣接して径方向へ曲折して延びるそれら通気路が厚み向において部分的に繋がっている扇風機用脱臭具は、軟質ポリウレタンフォームの内部における通気路の全長が長くなり、空気が隣接する通気路に進入することで、活性炭に対する空気の接触時間を長くすることができるから、活性炭を塗布したポリウレタンフォームや活性炭を混入したポリウレタンフォームの臭気吸着機能を向上させることができ、扇風機に流入する空気に含まれる臭気成分やたばこ臭、ノネナール臭をポリウレタンフォームに塗布された活性炭やポリウレタンフォームに混入された活性炭に十分かつ確実に吸着させることができる。扇風機用脱臭具は、空気に含まれる臭気成分やたばこ臭、ノネナール臭がポリウレタンフォームに塗布された活性炭やポリウレタンフォームに混入された活性炭によって除去されるから、それら臭いを除去した清浄な空気を作ることができ、扇風機による送風と同時に無臭かつ清浄な空気を扇風機の前方へ送風することができる。
【００３２】
それら通気路の開口面積が厚み方向に向かって不規則に変化しているとともに径方向に向かって不規則に変化し、それら通気口の面積が相違している扇風機用脱臭具は、通気路の開口面積が同一である場合と比較し、通気路を通過する空気が軟質ポリウレタンフォームの壁面に確実に衝突するから、活性炭を塗布したポリウレタンフォームや活性炭を混入したポリウレタンフォームの臭気吸着機能を向上させることができ、扇風機に流入する空気に含まれる臭気成分やたばこ臭、ノネナール臭をポリウレタンフォームに塗布された活性炭やポリウレタンフォームに混入された活性炭に十分かつ確実に吸着させることができる。扇風機用脱臭具は、空気に含まれる臭気成分やたばこ臭、ノネナール臭がポリウレタンフォームに塗布された活性炭やポリウレタンフォームに混入された活性炭によって除去されるから、それら臭いを除去した清浄な空気を作ることができ、扇風機による送風と同時に無臭かつ清浄な空気を扇風機の前方へ送風することができる。
【００３３】
軟質ポリウレタンフォームの厚み寸法が５〜２０ｍｍの範囲にあり、軟質ポリウレタンフォームの質量が４０〜８０ｇの範囲にある扇風機用脱臭具は、ポリウレタンフォームの厚み寸法を前記範囲にすることで、ポリウレタンフォームの壁面の比表面積を大きくすることができ、活性炭を塗布したポリウレタンフォームや活性炭を混入したポリウレタンフォームの臭気吸着機能を向上させることができ、扇風機に流入する空気に含まれる臭気成分やたばこ臭、ノネナール臭をポリウレタンフォームに塗布された活性炭やポリウレタンフォームに混入された活性炭に十分かつ確実に吸着させることができる。扇風機用脱臭具は、軟質ポリウレタンフォームの質量が前記範囲にあるから、脱臭フィルタが軽量になり、扇風機用脱臭具の扇風機への設置作業や交換作業を容易に行うことができるとともに、扇風機用脱臭具の扇風機からの不用意な脱落を防ぐことができる。
【００３４】
軟質ポリウレタンフォームの面速が２０〜４０ｃｍ／ｓｅｃの範囲にある扇風機用脱臭具は、軟質ポリウレタンフォームの面速が前記範囲にあるから、脱臭フィルタが扇風機に流入する空気の抵抗になることはなく、扇風機の羽根に空気をスムーズに流入させることができ、脱臭フィルタによって臭気成分やたばこ臭、ノネナール臭が除去された清浄な空気を扇風機の前方へ円滑に送風することができる。また、扇風機に流入する空気が軟質ポリウレタンフォームのそれら通気路を瞬時に通過することはなく、ポリウレタンフォームの通気路の壁面に空気を十分に接触させることができ、空気に含まれる臭気成分やたばこ臭、ノネナール臭をポリウレタンフォームに塗布された活性炭やポリウレタンフォームに混入された活性炭に十分かつ確実に吸着させることができる。
【００３５】
包装シートが所定のメッシュ数を有するネットまたは微細な不純物の捕集機能を有するエアフィルタである扇風機用脱臭具は、包装シートがネットから作られている場合、扇風機に流入する空気がネットを通過し、空気がネットに支持された軟質ポリウレタンフォームの通気路を通流するから、空気に含まれる臭気成分やたばこ臭、ノネナール臭をポリウレタンフォームに塗布された活性炭やポリウレタンフォームに混入された活性炭に確実に吸着させることができるのみならず、塵埃がネットに捕集されるから、空気に含まれる臭いとともに塵埃を除去した清浄な空気を扇風機の前方へ送風することができる。包装シートがフィルタから作られている場合、空気がフィルタを通流するときに空気に含まれる微細な塵埃や花粉、ＰＭ２．５、雑菌等の不純物がフィルタに捕集され、空気に含まれる臭気とともにそれらの不純物を除去した清浄な空気を扇風機の前方へ送風することができる。さらに、不純物が軟質ポリウレタンフォームの通気路に付着することがないから、不純物がポリウレタンフォームの通気路に付着することによる脱臭機能の低下を防ぐことができる。
【００３６】
包装シートが所定のメッシュ数を有して前面と後面とのうちのいずれか一方の面に位置するネットと微細な不純物の捕集機能を有して前面と後面とのうちのいずれか他方の面に位置するエアフィルタとから作られている扇風機用脱臭具は、ネットが前面を位置しつつフィルタが後面を位置する場合、空気に含まれる微細な塵埃や花粉、ＰＭ２．５、雑菌等の不純物がフィルタに捕集され、空気に含まれる臭気とともにそれらの不純物を除去した清浄な空気を扇風機の前方へ送風することができるとともに、それらの不純物が軟質ポリウレタンフォームの通気路に付着することによる脱臭機能の低下を防ぐことができ、ポリウレタンフォームに塗布された活性炭やポリウレタンフォームに混入された活性炭に確実に吸着させることができる。フィルタが前面に位置しつつネットが後面に位置する場合、扇風機に流入する空気がネットを通過し、空気がネットに支持された軟質ポリウレタンフォームの通気路を通流するから、空気に含まれる臭気成分やたばこ臭、ノネナール臭をポリウレタンフォームに塗布された活性炭やポリウレタンフォームに混入された活性炭に確実に吸着させることができるのみならず、塵埃がネットに捕集されるから、空気に含まれる臭いとともに塵埃を除去した清浄な空気を扇風機の前方へ送風することができる。さらに、臭気が除去された空気に含まれる微細な塵埃や花粉、ＰＭ２．５、雑菌等の不純物がフィルタに捕集され、空気に含まれる臭気とともにそれらの不純物を除去した清浄な空気を扇風機の前方へ送風することができる。
【図面の簡単な説明】
【００３７】
【図１】一例として示す扇風機用脱臭具の斜視図。
【図２】扇風機用脱臭具の正面図。
【図３】扇風機用脱臭具の背面図。
【図４】図２のＡ−Ａ線矢視断面図。
【図５】図２のＢ−Ｂ線端面図。
【図６】軟質ポリウレタンフォームの部分拡大斜視図。
【図７】扇風機に取り付けた状態で示す扇風機用脱臭の背面斜視図。
【図８】扇風機に取り付けた状態で示す扇風機用脱臭の背面図。
【図９】他の扇風機に取り付けた状態で示す扇風機用脱臭の背面斜視図。
【図１０】他の扇風機に取り付けた状態で示す扇風機用脱臭の背面図。
【図１１】他の一例として示す扇風機用脱臭具の正面図。
【図１２】図１１の扇風機用脱臭具の背面図。
【図１３】図１１のＣ−Ｃ線端面図。
【図１４】他の一例として示す扇風機用脱臭具の正面図。
【図１５】図１４の扇風機用脱臭具の背面図。
【図１６】他の一例として示す扇風機用脱臭具の正面図。
【図１７】図１６の扇風機用脱臭具の背面図。
【図１８】扇風機の脱臭機能の測定手順を説明する図。
【図１９】図１８から続く扇風機の脱臭機能の測定手順を説明する図。
【図２０】アンモニアに対する測定結果を示す図。
【図２１】トリメチルアミンに対する測定結果を示す図。
【図２２】メチルメルカプタンに対する測定結果を示す図。
【図２３】硫化水素に対する測定結果を示す図。
【図２４】酢酸に対する測定結果を示す図。
【図２５】アセトアルデヒドに対する測定結果を示す図。
【発明を実施するための形態】
【００３８】
一例として示す扇風機用脱臭具１０Ａの斜視図である図１等の添付の図面を参照し、本発明にかかる扇風機用脱臭具の詳細を説明すると、以下のとおりである。なお、図２は、扇風機用脱臭具１０Ａの正面図であり、図３は、扇風機用脱臭具１０Ａの背面図である。図４は、図２のＡ−Ａ線矢視断面図であり、図５は、図２のＢ−Ｂ線端面図である。図６は、扇風機用脱臭具１０Ａを形成する軟質ポリウレタンフォーム２０の部分拡大斜視図である。図２，３では、ネット２２の一部を破断した状態で示す。図２では、径方向を矢印Ｘ、周り方向を矢印Ｙで示し、図４，５では、厚み方向を矢印Ｚで示するしをこうを。
【００３９】
扇風機用脱臭具１０Ａは、扇風機３８Ａ，３８Ｂ（図７〜図１１参照）の後ガード３９の直後におけるモーターケース４９に着脱可能に取り付けられ、扇風機３８Ａ，３８Ｂに流入する空気に含まれる臭いの除去に好適に使用される。扇風機用脱臭具１０Ａは、前面１１および後面１２を有して空気に含まれる臭いを除去する所定面積の脱臭フィルタ１３と、脱臭フィルタ１３を支持する支持フレーム１４とから形成されている。脱臭フィルタ１３は、所定面積および所定厚みの上方エリア１５と、上方エリア１５のつながる所定面積および所定厚みの第１側方エリア１６と、上方エリア１５のつながる所定面積および所定厚みの第２側方エリア１７とを有する。脱臭フィルタ１３（上方エリア１５や第１および第２側方エリア１６，１７）は、環状に延びる（円弧を画く）外周縁１８と、外周縁１８につながって外周縁１８から径方向内方へ離間する内周縁１９とを有する。
【００４０】
脱臭フィルタ１３の一例としては、連続気泡を有する軟質ポリウレタンフォーム２０と、ポリウレタンフォーム２０の壁面２１に所定のバインダー（接着剤）を介して固着された活性炭粉末（図示せず）と、ポリウレタンフォーム２０の全体を包被（被覆）する所定のメッシュ数の通気性ネット２２（包装シート）とから形成されている。軟質ポリウレタンフォーム２０は、所定の厚みを有するとともに可撓性を有し、弾性変形可能である。
【００４１】
軟質ポリウレタンフォーム２０の壁面２１に活性炭粉末を塗布するには、活性炭粉末とバインダーとの混合塗料をポリウレタンフォーム２０に吹き付け塗装し、その混合塗料を乾燥させる場合、または、活性炭粉末とバインダーとの混合塗料にポリウレタンフォームをドブ付けし、その混合塗料を乾燥させる場合がある。活性炭粉末を塗布した軟質ポリウレタンフォーム２０では、ポリウレタンフォーム２０の壁面２１に活性炭粉末が積層され、ポリウレタンフォーム２０の壁面２１に活性炭の被覆層が形成されている。
【００４２】
脱臭フィルタ１３の他の一例としては、活性炭粉末を混入したフォーム原料を発泡させた連続気泡を有する軟質ポリウレタンフォーム２０と、ポリウレタンフォーム２０の全体を包被する所定のメッシュ数の通気性ネット２２（包装シート）とから形成されている。活性炭粉末を混入したフォーム原料を発泡させた軟質ポリウレタンフォーム２０では、ポリウレタンフォーム２０の壁面２１に活性炭が露出している。活性炭粉末を混入した軟質ポリウレタンフォーム２０は、所定の厚みを有するとともに可撓性を有し、弾性変形可能である。
【００４３】
活性炭粉末を混入した軟質ポリウレタンフォーム２０には、トリレンジイソシアネートとポリエーテルポリオール等を原料とするポリエーテル系フォーム、または、トリレンジイソシアネートと分岐ポリエステルポリオール等を原料とするポリエステル系フォームが使用されている。ポリウレタンフォーム２０は、フォーム原料に気泡径の調整等に使用する添加剤を加え、水と発泡助剤とによって発泡が行われる。
【００４４】
活性炭粉末は、約３００〜５０００ｍ2／ｇの比表面積を有し、高い臭気吸着機能（ヨウ素やガス状セシウム等の放射性物質吸着機能を含む）を有する。活性炭粉末は、活性炭を微粉砕して作られており、その平均粒径が５〜１０μｍの範囲にある。活性炭粉末に加工する活性炭は、ヤシガラやおが屑、硬質の木材チップ、木炭、草炭等を原料として作られている。フォーム原料に対する活性炭粉末の混合割合は、フォーム原料１００重量％に対して活性炭粉末８０〜１８０重量％、好ましくは、フォーム原料１００重量％に対して活性炭粉末１００〜１５０重量％である。
【００４５】
軟質ポリウレタンフォーム２０は、脱臭フィルタ１３の前後面１１，１２間に存在する複数の通気路２３と、通気路２３につながって前後面１１，１２に開口する複数の通気口２４とを有する（図６参照）。それら通気路２３は、ポリウレタンフォーム２０の壁面２１に囲繞されてポリウレタンフォーム２０の内部に画成されている。
【００４６】
それら通気路２３は、脱臭フィルタ１３の前面１１と後面１２との間においてポリウレタンフォーム２０の厚み方向へ不規則に曲折しながら延びているとともに、脱臭フィルタ１３の外周縁１８と内周縁１９との間においてポリウレタンフォーム２０の径方向へ不規則に曲折しながら延びている。径方向へ隣接して厚み方向へ曲折して延びるそれら通気路２３は径方向において部分的につながり、一方の通気路２３と他方の通気路２３とが互いに連通している。厚み方向へ隣接して径方向へ曲折して延びるそれら通気路２３は厚み向において部分的につながり、一方の通気路２３と他方の通気路２３とが互いに連通している。
【００４７】
それら通気路２３の開口面積は、厚み方向に向かって一様ではなく、厚み方向に向かって不規則に変化しているとともに、径方向に向かって一様ではなく、径方向に向かって不規則に変化している。それら通気路２３は、その開口面積が大きくなったり、小さくなったりしながら厚み方向と径方向とへ不規則に開口している。また、通気路２３につながるそれら通気口２４は、その面積が一様ではなく、その面積が相違している。
【００４８】
軟質ポリウレタンフォーム２０は、その厚み寸法が５〜２０ｍｍの範囲、好ましくは、１０〜１５ｍｍの範囲にある。ポリウレタンフォーム２０の厚み寸法が５ｍｍ未満では、ポリウレタンフォーム２０の壁面２１の比表面積を大きくすることができず、活性炭粉末を塗布したポリウレタンフォーム２０や活性炭粉末を混入したポリウレタンフォーム２０の臭気吸着機能を向上させることができない。ポリウレタンフォーム２０の厚み寸法が２０ｍｍを超過すると、ポリウレタンフォーム２０の空気抵抗が大きく、脱臭フィルタ１３が扇風機３８Ａ，３８Ｂの羽根４１に流入する空気の抵抗になり、扇風機３８Ａ，３８Ｂの羽根４１に空気をスムーズに流入させることができない。
【００４９】
軟質ポリウレタンフォーム２０は、その厚み寸法が前記範囲にあるから、ポリウレタンフォーム２０の壁面２１の比表面積を大きくすることができ、活性炭粉末を塗布したポリウレタンフォーム２０や活性炭粉末を混入したポリウレタンフォーム２０の臭気吸着機能を向上させることができ、扇風機３８Ａ，３８Ｂに流入する空気に含まれる臭気成分やたばこ臭、ノネナール臭をポリウレタンフォーム２０に塗布された活性炭やポリウレタンフォーム２０に混入された活性炭に十分に吸着させることができる。また、ポリウレタンフォーム２０が扇風機３８Ａ，３８Ｂの羽根４１に流入する空気の抵抗になることはなく、扇風機３８Ａ，３８Ｂの羽根４１に空気をスムーズに流入させることができる。
【００５０】
軟質ポリウレタンフォーム２０は、その質量が４０〜８０ｇの範囲にある。脱臭フィルタ１３は、ポリウレタンフォーム２０の質量が前記範囲にあり、脱臭フィルタ１３を軽量にすることができるから、扇風機用脱臭具１０Ａを扇風機３８Ａ，３８Ｂに容易に取り付けることができ、扇風機用脱臭具１０Ａを扇風機３８Ａ，３８Ｂから容易に取り外すことができ、扇風機用脱臭具１０Ａの扇風機３８Ａ，３８Ｂへの設置作業や交換作業を容易に行うことができるとともに、扇風機用脱臭具１０Ａの扇風機３８Ａ，３８Ｂからの不用意な脱落を防ぐことができる。
【００５１】
軟質ポリウレタンフォーム２０は、その面速が２０〜４０ｃｍ／ｓｅｃの範囲、好ましくは、２５〜３５ｃｍ／ｓｅｃの範囲にある。ポリウレタンフォーム２０の面速が２０ｃｍ／ｓｅｃ未満では、空気がポリウレタンフォーム２０をスムーズに通流することができず、ポリウレタンフォーム２０が扇風機３８Ａ，３８Ｂに流入する空気の抵抗になり、扇風機３８Ａ，３８Ｂの羽根４１に空気をスムーズに流入させることができない。ポリウレタンフォーム２０の面速が４０ｃｍ／ｓｅｃを超過すると、扇風機３８Ａ，３８Ｂに流入する空気がポリウレタンフォーム２０の通気路２３を素早く通過し、ポリウレタンフォーム２０の壁面２１に空気を十分に接触させることができず、空気に含まれる臭気成分やたばこ臭、ノネナール臭をポリウレタンフォーム２０に塗布された活性炭やポリウレタンフォーム２０に混入された活性炭に十分に吸着させることができない。
【００５２】
脱臭フィルタ１３は、ポリウレタンフォーム２０の面速が前記範囲にあるから、脱臭フィルタ１３が扇風機３８Ａ，３８Ｂに流入する空気の抵抗になることはなく、扇風機３８Ａ，３８Ｂの羽根４１に空気をスムーズに流入させることができ、脱臭フィルタ１３によって臭気成分やたばこ臭、ノネナール臭が除去された清浄な空気を扇風機３８Ａ，３８Ｂの前方へ円滑に送風することができる。また、扇風機３８Ａ，３８Ｂに進入した空気がポリウレタンフォーム２０の通気路２４を素早く通過することはなく、ポリウレタンフォーム２０の壁面２１に空気を十分に接触させることができ、空気に含まれる臭気成分やたばこ臭、ノネナール臭をポリウレタンフォーム２０に塗布された活性炭やポリウレタンフォーム２０に混入された活性炭に十分かつ確実に吸着させることができる。
【００５３】
通気性ネット２２は、所定のメッシュ数を有する。通気性ネット２２には、たとえば、２４メッシュや３２メッシュ等を使用することができる。通気性ネット２２は、脱臭フィルタ１３の外周縁１８から径方向外方へ延びる部分が縫製され、脱臭フィルタ１３の内周縁１９から径方向内方へ延びる部分が縫製されている。なお、それら部分が熱融着によって固着されていてもよい。
【００５４】
支持フレーム１４は、プラスチック板や金属板から作られ、通気性ネット２２の外側に位置している。支持フレーム１４は、脱臭フィルタ１３の上方エリア１５と第１および第２側方エリア１６，１７との外周縁１８に延びる外側フレーム２５と、外側フレーム２５につながって脱臭フィルタ１３の上方エリア１５と第１および第２側方エリア１６，１７との内周縁１９に延びる内側フレーム２６と、脱臭フィルタ１３の前面１１の側に位置し、外側フレーム２５と内側フレーム２６とに繋がって径方向へ直状に延びる連結フレーム２７とから形成されている。
【００５５】
外側フレーム２５は、脱臭フィルタ１３の前面１１において周り方向へ環状に延びる第１外周枠２８と、第１外周枠２８から脱臭フィルタ１３の後面１２の側に向かって折れ曲がり、前面１１と後面１２との間において周り方向へ環状に延びる第２外周枠２９と、第２外周枠２９から脱臭フィルタ１３の後面１２に向かって折れ曲がり、後面１２において周り方向へ環状に延びる第３外周枠３０とを有する。外側フレーム２５（第１〜第３外周枠２８〜３０）は、脱臭フィルタ１３（通気性ネット２２を含むポリウレタンフォーム２０）の外周縁１８を前面１１（一方の面）から後面１２（他方の面）に向かって包み込むように延びている。
【００５６】
内側フレーム２６は、脱臭フィルタ１３の前面１１に延びる第１内周枠３１と、第１内周枠３１から脱臭フィルタ１３の後面１２の側に向かって折れ曲がり、前面１１と後面１２との間に延びる第２内周枠３２と、第２内周枠３２から脱臭フィルタ１３の後面１２に向かって折れ曲がり、後面１２に延びる第３内周枠３３とを有する。内側フレーム２６（第１〜第３内周枠３１〜３３）は、脱臭フィルタ１３（通気性ネット２２を含むポリウレタンフォーム２０）の内周縁１８を前面１１（一方の面）から後面１２（他方の面）に向かって包み込むように延びている。
【００５７】
脱臭フィルタ１３の第１側方エリア１６と第２側方エリア１７との間には、内側フレーム２６に囲繞されたスペース３４が画成されている。スペース３４の幅寸法は、扇風機３８Ａ，３８Ｂのモーターケース４０のそれよりもわずかに大きい。脱臭フィルタ１３の上方エリア１５に延びる内側フレーム２６には、扇風機用脱臭具１０Ａをモーターケース４０に着脱可能に固着するための固着手段３５が形成されている。固着手段３５は、フック部材３６（雄部材）とループ部材３７（雌部材）とから形成されたメカニカルファスナである。メカニカルファスナは、フック部材３６が粘着剤（図示せず）を介して内側フレーム２６の第２内周枠３２に固着され、ループ部材３７がフック部材３６に係合している。ループ部材３７の裏面には、粘着剤（図示せず）が塗布され、その粘着剤が剥離紙（図示せず）に被覆保護されている。なお、固着手段３５が内側フレーム２６の第２内周枠３２に固着された両面テープであってもよい。
【００５８】
図７は、扇風機３８Ａに取り付けた状態で示す扇風機用脱臭１０Ａの背面斜視図であり、図８は、扇風機３８Ａに取り付けた状態で示す扇風機用脱臭１０Ａの背面図である。図９は、他の扇風機３８Ｂに取り付けた状態で示す扇風機用脱臭１０Ａの背面斜視図であり、図１０は、扇風機３８Ｂに取り付けた状態で示す扇風機用脱臭１０Ａの背面図である。
【００５９】
扇風機用脱臭具１０Ａを扇風機３８Ａに取り付ける手順の一例は、以下のとおりである。内側フレーム２６の第２内周枠３２に固着されたメカニカルファスナ（固着手段３５）のループ部材３７から剥離紙を剥離して粘着剤を露出させ、脱臭フィルタ１３の第１側方エリア１６と第２側方エリア１７とが扇風機３８Ａのモーターケース４０に跨るように、モーターケース４０をスペース３４に位置させる。次に、後ガード３９の直後に位置するモーターケース４０の頂部４２に形成された取っ手４３（ハンドル）に粘着剤を介してメカニカルファスナを固着する。取っ手４３にメカニカルファスナを固着すると、風機用脱臭具１０Ａが扇風機３８Ａに取り付けられる。
【００６０】
扇風機用脱臭具１０Ａを扇風機３８Ａに取り付けると、脱臭フィルタ１３の上方エリア１５と第１および第２側方エリア１６，１７とが後ガード３９の直後に位置し、上方エリア１５が扇風機３８Ａの後ガード３９の直後に位置するモーターケース４０の頂部４２の直上に位置してモーターケース４０の頂部４２を取り囲む。第１側方エリア１６が上方エリア１５から扇風機３８Ａのベース４４に向かって下方へ延び、モーターケース４０の一方の側部４５の側方に位置してモーターケース４０の一方の側部４５を取り囲む。第２側方エリア１７が上方エリア１５から扇風機３８Ａのベース４４に向かって下方へ延び、モーターケース４０の他方の側部４６の側方に位置してモーターケース４０の他方の側部４６を取り囲む。
【００６１】
扇風機用脱臭具１０Ａでは、それが扇風機３８Ａに取り付けられたときに、脱臭フィルタ１３の上方エリア１５と第１および第２側方エリア１６，１７との外周縁１８（外側フレーム２５の第２外周枠２８）が扇風機３８Ａの羽根４１の径方向先端部４７の近傍に位置する。扇風機用脱臭具１０Ａは、扇風機３８Ａの羽根４１の略全域に流入する空気のすべてが脱臭フィルタ１３を通過し、扇風機３８Ａから送風される空気の略すべてが浄化される。
【００６２】
扇風機用脱臭具１０Ａを扇風機３８Ｂに取り付ける手順の一例は、以下のとおりである。内側フレーム２６の第２内周枠３２に固着されたメカニカルファスナ（固着手段３５）のループ部材３７から剥離紙を剥離して粘着剤を露出させ、脱臭フィルタ１３の第１側方エリア１６と第２側方エリア１７とが扇風機３８Ｂのモーターケース４０に跨るように、モーターケース４０をスペース３４に位置させる。次に、後ガード３９の直後に位置するモーターケース４０の頂部４２に粘着剤を介してメカニカルファスナを固着する。モーターケース４０の頂部４２にメカニカルファスナを固着すると、風機用脱臭具１０Ａが扇風機３８Ｂに取り付けられる。
【００６３】
扇風機用脱臭具１０Ａを扇風機３８Ｂに取り付けると、脱臭フィルタ１３の上方エリア１５と第１および第２側方エリア１６，１７とが後ガード３９の直後に位置し、上方エリア１５が扇風機３８Ａの後ガード３９の直後に位置するモーターケース４０の頂部４２の直上に位置してモーターケース４０の頂部４２を取り囲む。第１側方エリア１６が上方エリア１５から扇風機３８Ｂのベース４４に向かって下方へ延び、モーターケース４０の一方の側部４５の側方に位置してモーターケース４０の一方の側部４５を取り囲む。第２側方エリア１７が上方エリア１５から扇風機３８Ｂのベース４４に向かって下方へ延び、モーターケース４０の他方の側部４６の側方に位置してモーターケース４０の他方の側部４６を取り囲む。
【００６４】
なお、扇風機３８Ｂに取り付けられた扇風機用脱臭具１０Ａは、その大きさ（直径）が扇風機３８Ａに取り付けられた扇風機用脱臭具１０Ａよりも大きい。扇風機用脱臭具１０Ａでは、それが扇風機３８Ｂに取り付けられたときに、脱臭フィルタ１３の上方エリア１５と第１および第２側方エリア１６，１７との外周縁１８（外側フレーム２５の第２外周枠２８）が後ガード３９の外周縁４８（後ガード３９の第２外周枠２９）と扇風機３８Ｂの羽根４１の径方向先端部４７との間に位置する。扇風機用脱臭具１０Ａは、扇風機３８Ｂの後ガード３９の略全域から流入する空気のすべてが脱臭フィルタ１３を通過し、扇風機３８Ｂから送風される空気の略すべてが浄化される。
【００６５】
扇風機３８Ａのモーターケース４０の取っ手４３に扇風機用脱臭具１０Ａを取り付けた後、または、扇風機３８Ｂのモーターケース４０の頂部４２に扇風機用脱臭具１０Ａを取り付けた後、扇風機３８Ａ，３８ＢのスイッチをＯＮにすると、モーターによって羽根４１が回転し、空気が後ガード３９の後方から羽根４１に流入する。このとき、空気が脱臭フィルタ１３を通過する。空気は、通気ネット２２を通過し、軟質ポリウレタンフォーム２０の通気口２４から通気路２３に進入した後、通気路２３を通ってポリウレタンフォーム２０の通気口２４から流出し、再び通気ネット２２を通過して扇風機３８Ａ，３８Ｂの羽根４１に流入する。なお、ポリウレタンフォーム２０の内部において通気路２３が厚み方向と径方向とへ不規則に曲折しながら延びているから、通気路２３を通る空気がポリウレタンフォーム２０の壁面２１に確実に接触（衝突）する。
【００６６】
空気が通気ネット２２を通過するときに、空気に含まれる塵埃がネット２２に捕集され、塵埃が除去された空気がポリウレタンフォーム２０（脱臭フィルタ１３）の通気路２３に進入する。通気路２３に進入した空気は、厚み方向や径方向に曲折しながら延びる通気路２３を通流する過程でポリウレタンフォーム２０の壁面２１に接触（衝突）し、空気に含まれる臭気成分（アンモニア、トリメチルアミンやトリエチルアミン、トリアルアミン等の窒素含有化合物を主成分とした塩基性臭気成分、硫化水素や硫化メチル、二硫化メチル、メチルメルカプタン等の硫黄含有化合物、ホルムアルデヒドやアセトアルデヒド、ブチルアルデヒド、バレルアルデヒド、プロピオンアルデヒド等のアルデヒド類を主成分とした中性臭気成分、ギ酸や酢酸、プロピオン酸、吉草酸等の低級脂肪酸類を主成分とした酸性臭気成分、トルエンやキシレン、ブタノール、メチルイソブチルケトン）やたばこ臭、ノネナール臭が通気路２３に形成された活性炭粉末の被覆層や通気路２３に露出する活性炭粉末に吸着される。
【００６７】
扇風機用脱臭具１０Ａは、脱臭フィルタ１３を形成する軟質ポリウレタンフォーム２０の壁面２１に活性炭粉末が塗布され、または、ポリウレタンフォーム２０に活性炭粉末が混入されているから、扇風機３８Ａ，３８Ｂの後ガード３９から羽根４１に向かって流入する空気がポリウレタンフォーム２０に形成された複数の通気路２３を通流するときに、空気がポリウレタンフォーム２０の壁面２１（活性炭）に接触（衝突）し、空気に含まれる臭気成分やたばこ臭、ノネナール臭が活性炭に吸着されるから、扇風機３８Ａ，３８Ｂに流入する空気に含まれる臭気成分やたばこ臭、ノネナール臭を確実に取り除くことができる。
【００６８】
扇風機用脱臭具１０Ａは、ポリウレタンフォーム２０の全体が複数の網目を有する通気性ネット２２に包被され、扇風機３８Ａ，３８Ｂに流入する空気がネット２２を通過するときに、空気に含まれる塵埃がネット２２に捕集されるから、ポリウレタンフォーム２０の通気路２３への塵埃の付着を防ぐことができ、塵埃が通気路２３に付着することによる活性炭の臭気吸着機能の低下を防ぐことができる。扇風機用脱臭具１０Ａは、空気に含まれる臭気成分やたばこ臭、ノネナール臭が活性炭によって除去されるから、それら臭いを除去した清浄な空気を作ることができ、扇風機３８Ａ，３８Ｂによる送風と同時に無臭かつ清浄な空気を扇風機３８Ａ，３８Ｂの前方へ送風することができる。
【００６９】
扇風機用脱臭具１０Ａは、ポリウレタンフォーム２０の通気路２３が厚み方向と径方向とへ不規則に曲折しながら延びるとともに、隣接する通気路２３が厚み方向と径方向とにおいて部分的に繋がっているから、通気路１９が前面１４と後面１５との間で直状に延びる場合と比較し、ポリウレタンフォーム２０の内部における通気路２３の全長を長くすることができるとともに、ポリウレタンフォーム２０の壁面２１の比表面積を大きくすることができ、活性炭粉末を塗布したポリウレタンフォーム２０や活性炭粉末を混入したポリウレタンフォーム２０の臭気吸着機能を向上させることができるとともに、扇風機３８Ａ，３８Ｂに流入する空気に含まれる臭気成分やたばこ臭、ノネナール臭を活性炭に十分かつ確実に吸着させることができる。
【００７０】
扇風機用脱臭具１０Ａは、後ガード３９から扇風機３８Ａ，３８Ｂの羽根４１に進入する空気の流速が遅く、空気がポリウレタンフォーム２０の通気路２３をゆっくりと通流するから、ポリウレタンフォーム２０の壁面２１（活性炭）に対する空気の接触時間を長くすることができ、空気に含まれる臭いを活性炭に確実に吸着させることができる。扇風機用脱臭具１０Ａは、室内の空気が扇風機２４の稼働中にポリウレタンフォーム２０の通気路２３を通流した後、再びポリウレタンフォーム２０の通気路２３を通流し、空気がポリウレタンフォーム２０の通気路２３を繰り返し通流（循環）するから、室内の空気が脱臭フィルタ１３によって次第に浄化され、扇風機３８Ａ，３８Ｂを長時間稼働させることでその脱臭機能を十分に発揮させることができる。
【００７１】
図１１は、他の一例として示す扇風機用脱臭具１０Ｂの正面図であり、図１２は、図１１の扇風機用脱臭具１０Ｂの背面図である。図１３は、図１１のＣ−Ｃ線端面図である。図１１，１２では、ネット２２の一部を破断した状態で示す。図１１では、径方向を矢印Ｘ、周り方向を矢印Ｙで示し、図１３では、厚み方向を矢印Ｚで示するしをこうを。この扇風機用脱臭具１０Ｂが図１のそれと異なるところは、軟質ポリウレタンフォーム２０の全体が微細な不純物の捕集機能を有するフィルタ４９（エアフィルタ）に包被（被覆）されている点にあり、その他の構成は図１の扇風機用脱臭具１０Ａのそれらと同一であるから、図１の扇風機用脱臭具１０Ａと同一の符号を付すとともに、図１の扇風機用脱臭具１０Ａの説明を援用することで、この扇風機用脱臭具１０Ｂのその他の構成の詳細な説明は省略する。
【００７２】
扇風機用脱臭具１０Ｂは、扇風機３８Ａ，３８Ｂ（図７〜図１０参照）の後ガード３９の直後におけるモーターケース４９に着脱可能に取り付けられ、扇風機３８Ａ，３８Ｂに流入する空気に含まれる臭いの除去に好適に使用される。扇風機用脱臭具１０Ｂは、前面１１および後面１２を有して空気に含まれる臭いを除去する所定面積の脱臭フィルタ１３と、脱臭フィルタ１３を支持する支持フレーム１４とから形成されている。支持フレーム１４は、図１の扇風機用脱臭具１０Ａのそれと同一である。
【００７３】
脱臭フィルタ１３は、上方エリア１５および第１および第２側方エリア１６，１７と、環状に延びる外周縁１８と、外周縁１８から径方向内方へ離間する内周縁１９とを有する。脱臭フィルタ１３の一例としては、連続気泡を有する軟質ポリウレタンフォーム２０と、ポリウレタンフォーム２０の壁面２１に所定のバインダーを介して固着された活性炭粉末と、ポリウレタンフォーム２０の全体を包被するエアフィルタ４９（包装シート）とから形成されている。脱臭フィルタ１３の他の一例としては、活性炭粉末を混入したフォーム原料を発泡させた連続気泡を有する軟質ポリウレタンフォーム２０と、ポリウレタンフォーム２０の全体を包被するエアフィルタ４９とから形成されている。
【００７４】
ポリウレタンフォーム２０は、扇風機用脱臭具１０Ａのそれと同一である。軟質ポリウレタンフォーム２０の厚み寸法や質量、面速は、扇風機用脱臭具１０Ａのそれらと同一である。脱臭フィルタ１３の第１側方エリア１６と第２側方エリア１７との間には、内側フレーム２６に囲繞されたスペース３４が画成されている。脱臭フィルタ１３の上方エリア１５に延びる内側フレーム２６には、扇風機用脱臭具１０Ｂをモーターケース４０に着脱可能に固着するためのメカニカルファスナが取り付けられている。
【００７５】
エアフィルタ４９には、２５μｍ以上の粒子を捕集する中高性能フィルタ、０．３μｍ以上の粒子を捕集するＨＥＰＡフィルタのいずれかを使用することができる。フィルタ４９は、脱臭フィルタ１３の外周縁１８から径方向外方へ延びる部分が縫製され、脱臭フィルタ１３の内周縁１９から径方向内方へ延びる部分が縫製されている。なお、それら部分が熱融着によって固着されていてもよい。
【００７６】
扇風機用脱臭具１０Ｂは、扇風機用脱臭具１０Ａと同様の手順で扇風機３８Ａ，３８Ｂに取り付けられる。扇風機用脱臭具１０Ｂを扇風機３８Ａに取り付けると、脱臭フィルタ１３の上方エリア１５と第１および第２側方エリア１６，１７との外周縁１８（外側フレーム２５の第２外周枠２８）が扇風機３８Ａの羽根４１の径方向先端部４７の近傍に位置する。扇風機３８Ｂに取り付けられた扇風機用脱臭具１０Ｂは、その大きさ（直径）が扇風機３８Ａに取り付けられた扇風機用脱臭具１０Ｂよりも大きく、扇風機用脱臭具１０Ａを扇風機３８Ｂに取り付けると、脱臭フィルタ１３の上方エリア１５と第１および第２側方エリア１６，１７との外周縁１８（外側フレーム２５の第２外周枠２８）が後ガード３９の外周縁４８（後ガード３９の第２外周枠２９）と扇風機３８Ｂの羽根４１の径方向先端部４７との間に位置する。
【００７７】
扇風機３８Ａのモーターケース４０の取っ手４３に扇風機用脱臭具１０Ｂを取り付けた後、または、扇風機３８Ｂのモーターケース４０の頂部４２に扇風機用脱臭具１０Ｂを取り付けた後、扇風機３８Ａ，３８ＢのスイッチをＯＮにすると、羽根４１が回転して空気が後ガード３９の後方から羽根４１に流入する。このとき、空気が脱臭フィルタ１３を通過する。空気がフィルタ４９を通過するときに空気に含まれる微細な塵埃や花粉、ＰＭ２．５、雑菌等の不純物がフィルタ４９に捕集される。それら不純物が除去された空気は、軟質ポリウレタンフォーム２０の通気口２４から通気路２３に進入した後、通気路２３を通ってポリウレタンフォーム２０の通気口２４から流出し、再びフィルタ４９を通過して扇風機３８Ａ，３８Ｂの羽根４１に流入する。
【００７８】
軟質ポリウレタンフォーム２０の通気路２３に進入した空気は、厚み方向や径方向に曲折しながら延びる通気路２３を通流する過程でポリウレタンフォーム２０の壁面２１に接触（衝突）し、空気に含まれる臭気成分やたばこ臭、ノネナール臭が通気路２３に形成された活性炭粉末の被覆層や通気路２３に露出する活性炭粉末に吸着される。
【００７９】
扇風機用脱臭具１０Ｂは、脱臭フィルタ１３を形成する軟質ポリウレタンフォーム２０の壁面２１に活性炭粉末が塗布され、または、ポリウレタンフォーム２０に活性炭粉末が混入されているから、扇風機３８Ａ，３８Ｂの後ガード３９から羽根４１に向かって流入する空気がポリウレタンフォーム２０に形成された複数の通気路２３を通流するときに、空気がポリウレタンフォーム２０の壁面２１（活性炭）に接触（衝突）し、空気に含まれる臭気成分やたばこ臭、ノネナール臭が活性炭に吸着されるから、扇風機３８Ａ，３８Ｂに流入する空気に含まれる臭気成分やたばこ臭、ノネナール臭を確実に取り除くことができる。
【００８０】
扇風機用脱臭具１０Ｂは、ポリウレタンフォーム２０の全体が微細な不純物の捕集するエアフィルタ４９に包被され、扇風機３８Ａ，３８Ｂに流入する空気がフィルタ４９を通過するときに、空気に含まれる微細な塵埃や花粉、ＰＭ２．５、雑菌等の不純物がフィルタ４９に捕集されるから、ポリウレタンフォーム２０の通気路２３への不純物の付着を防ぐことができ、不純物が通気路２３に付着することによる活性炭の臭気吸着機能の低下を防ぐことができる。扇風機用脱臭具１０Ｂは、空気に含まれるそれら不純物がフィルタ４９によって除去されるとともに、空気に含まれる臭気成分やたばこ臭、ノネナール臭が活性炭によって除去されるから、それら不純物やそれら臭いを除去した清浄な空気を作ることができ、扇風機３８Ａ，３８Ｂによる送風と同時に無臭かつ清浄な空気を扇風機３８Ａ，３８Ｂの前方へ送風することができる。
【００８１】
扇風機用脱臭具１０Ｂは、ポリウレタンフォーム２０の通気路２３が厚み方向と径方向とへ不規則に曲折しながら延びるとともに、隣接する通気路２３が厚み方向と径方向とにおいて部分的に繋がっているから、通気路１９が前面１４と後面１５との間で直状に延びる場合と比較し、ポリウレタンフォーム２０の内部における通気路２３の全長を長くすることができるとともに、ポリウレタンフォーム２０の壁面２１の比表面積を大きくすることができ、活性炭粉末を塗布したポリウレタンフォーム２０や活性炭粉末を混入したポリウレタンフォーム２０の臭気吸着機能を向上させることができるとともに、扇風機３８Ａ，３８Ｂに流入する空気に含まれる臭気成分やたばこ臭、ノネナール臭を活性炭に十分かつ確実に吸着させることができる。
【００８２】
扇風機用脱臭具１０Ｂは、後ガード３９から扇風機３８Ａ，３８Ｂの羽根４１に進入する空気の流速が遅く、空気がポリウレタンフォーム２０の通気路２３をゆっくりと通流するから、ポリウレタンフォーム２０の壁面２１（活性炭）に対する空気の接触時間を長くすることができ、空気に含まれる臭いを活性炭に確実に吸着させることができる。扇風機用脱臭具１０Ｂは、室内の空気が扇風機２４の稼働中にポリウレタンフォーム２０の通気路２３を通流した後、再びポリウレタンフォーム２０の通気路２３を通流し、空気がポリウレタンフォーム２０の通気路２３を繰り返し通流（循環）するから、室内の空気が脱臭フィルタ１３によって次第に浄化され、扇風機３８Ａ，３８Ｂを長時間稼働させることでその脱臭機能を十分に発揮させることができる。
【００８３】
図１４は、他の一例として示す扇風機用脱臭具１０Ｃの正面図であり、図１５は、図１４の扇風機用脱臭具１０Ｃの背面図である。図１４，１５では、ネット２２およびフィルタ４９の一部を破断した状態で示す。この扇風機用脱臭具１０Ｃが図１や図１１のそれと異なるところは、軟質ポリウレタンフォーム２０の一方の面が微細な不純物の捕集機能を有するエアフィルタ４９（包装シート）に包被（被覆）され、ポリウレタンフォーム２０の他方の面が所定のメッシュ数を有する通気性ネット２２（包装シート）に被覆されている点にあり、その他の構成は図１や図１１の扇風機用脱臭具１０Ａ，１０Ｂのそれらと同一であるから、図１や図１１の扇風機用脱臭具１０Ａ，１０Ｂと同一の符号を付すとともに、図１や図１１の扇風機用脱臭具１０Ａ，１０Ｂの説明を援用することで、この扇風機用脱臭具１０Ｃのその他の構成の説明は省略する。
【００８４】
扇風機用脱臭具１０Ｃは、扇風機３８Ａ，３８Ｂ（図７〜図１０参照）の後ガード３９の直後におけるモーターケース４９に着脱可能に取り付けられ、扇風機３８Ａ，３８Ｂに流入する空気に含まれる臭いの除去に好適に使用される。なお、扇風機用脱臭具１０Ｃは、扇風機用脱臭具１０Ａと同様の手順で扇風機３８Ａ，３８Ｂに取り付けられる。扇風機用脱臭具１０Ｃは、前面１１および後面１２を有して空気に含まれる臭いを除去する所定面積の脱臭フィルタ１３と、脱臭フィルタ１３を支持する支持フレーム１４とから形成されている。脱臭フィルタ１３や支持フレーム１４は、図１の扇風機用脱臭具１０Ａや図１１の扇風機用脱臭具１０Ｂのそれらと同一である。
【００８５】
エアフィルタ４９は、図１１の扇風機用脱臭具１０Ｂに使用されるそれと同一であり、脱臭フィルタ１３の前面に位置している。通気性ネット２２は、図１の扇風機用脱臭具１０Ａに使用されるそれと同一であり、脱臭フィルタ１３の後面に位置している。フィルタ４９とネット２２とは、脱臭フィルタ１３の外周縁１８から径方向外方へ延びる部分が縫製され、脱臭フィルタ１３の内周縁１９から径方向内方へ延びる部分が縫製されている。なお、それら部分が熱融着によって固着されていてもよい。
【００８６】
扇風機用脱臭具１０Ｃは、ポリウレタンフォーム２０の一方の面（脱臭フィルタ１３の前面）がエアフィルタ４９に包被され、扇風機３８Ａ，３８Ｂに流入する空気がフィルタ４９を通過するときに、空気に含まれる微細な塵埃や花粉、ＰＭ２．５、雑菌等の不純物がフィルタ４９に捕集される。扇風機用脱臭具１０Ｃは、空気に含まれるそれら不純物がフィルタ４９によって除去されるとともに、空気に含まれる臭気成分やたばこ臭、ノネナール臭が活性炭によって除去されるから、それら不純物やそれら臭いを除去した清浄な空気を作ることができ、扇風機３８Ａ，３８Ｂによる送風と同時に無臭かつ清浄な空気を扇風機３８Ａ，３８Ｂの前方へ送風することができる。
【００８７】
図１６は、他の一例として示す扇風機用脱臭具１０Ｄの正面図であり、図１７は、図１６の扇風機用脱臭具１０Ｄの背面図である。図１６，１７では、ネット２２およびフィルタ４９の一部を破断した状態で示す。この扇風機用脱臭具１０Ｄが図１や図１１のそれと異なるところは、軟質ポリウレタンフォーム２０の一方の面が所定のメッシュ数を有する通気性ネット２２（包装シート）に被覆され、ポリウレタンフォーム２０の他方の面が微細な不純物の捕集機能を有するエアフィルタ４９（包装シート）に包被（被覆）されている点にあり、その他の構成は図１や図１１の扇風機用脱臭具１０Ａ，１０Ｂのそれらと同一であるから、図１や図１１の扇風機用脱臭具１０Ａ，１０Ｂと同一の符号を付すとともに、図１や図１１の扇風機用脱臭具１０Ａ，１０Ｂの説明を援用することで、この扇風機用脱臭具１０Ｄのその他の構成の説明は省略する。
【００８８】
扇風機用脱臭具１０Ｄは、扇風機３８Ａ，３８Ｂ（図７〜図１１参照）の後ガード３９の直後におけるモーターケース４９に着脱可能に取り付けられ、扇風機３８Ａ，３８Ｂに流入する空気に含まれる臭いの除去に好適に使用される。なお、扇風機用脱臭具１０Ｄは、扇風機用脱臭具１０Ａと同様の手順で扇風機３８Ａ，３８Ｂに取り付けられる。扇風機用脱臭具１０Ｄは、前面１１および後面１２を有して空気に含まれる臭いを除去する所定面積の脱臭フィルタ１３と、脱臭フィルタ１３を支持する支持フレーム１４とから形成されている。脱臭フィルタ１３や支持フレーム１４は、図１の扇風機用脱臭具１０Ａや図１１の扇風機用脱臭具１０Ｂのそれらと同一である。
【００８９】
通気性ネット２２は、図１の扇風機用脱臭具１０Ａに使用されるそれと同一であり、脱臭フィルタ１３の前面に位置している。エアフィルタ４９は、図１１の扇風機用脱臭具１０Ｂに使用されるそれと同一であり、脱臭フィルタ１３の後面に位置している。ネット２２とフィルタ４９とは、脱臭フィルタ１３の外周縁１８から径方向外方へ延びる部分が縫製され、脱臭フィルタ１３の内周縁１９から径方向内方へ延びる部分が縫製されている。なお、それら部分が熱融着によって固着されていてもよい。
【００９０】
扇風機用脱臭具１０Ｄは、ポリウレタンフォーム２０の他方の面（脱臭フィルタ１３の後面）がエアフィルタ４９に包被され、扇風機３８Ａ，３８Ｂに流入する空気がフィルタ４９を通過するときに、空気に含まれる微細な塵埃や花粉、ＰＭ２．５、雑菌等の不純物がフィルタ４９に捕集される。扇風機用脱臭具１０Ｃは、空気に含まれるそれら不純物がフィルタ４９によって除去されるとともに、空気に含まれる臭気成分やたばこ臭、ノネナール臭が活性炭によって除去されるから、それら不純物やそれら臭いを除去した清浄な空気を作ることができ、扇風機３８Ａ，３８Ｂによる送風と同時に無臭かつ清浄な空気を扇風機３８Ａ，３８Ｂの前方へ送風することができる。
【００９１】
図１８は、扇風機用脱臭具１０Ａ〜１０Ｄの脱臭機能の測定手順を説明する図であり、図１９は、図１８から続く扇風機用脱臭具１０Ａ〜１０Ｄの脱臭機能の測定手順を説明する図である。扇風機３８Ａ，３８Ｂに扇風機用脱臭具１０Ａ〜１０Ｄを取り付け、それぞれに対して臭気ガスの脱臭機能（臭気吸着機能）の測定を行った。なお、扇風機用脱臭具１０Ａ〜１０Ｄは、脱臭具１０Ａ→脱臭具１０Ｂ→脱臭具１０Ｃ→脱臭具１０Ｄの順で扇風機３８Ａ，３８Ｂに設置してそれらの脱臭機能を測定した（ガス検知管法）。
【００９２】
測定に使用した測定ボックス６０は、透明なアクリルによって作られた６面体（立方体）であり、各辺の長さＬ１，Ｌ２，Ｌ３が１ｍであってその体積が１ｍ３である。第１測定として扇風機用脱臭具１０Ａ〜１０Ｄを設置した扇風機３８Ａ，３８Ｂを使用し、第２測定として扇風機用脱臭具１０Ａ〜１０Ｄを設置していない扇風機３８Ａ，３８Ｂを使用した。さらに、第３測定として扇風機用脱臭具１０Ａ〜１０Ｄや扇風機３８Ａ，３８Ｂを使用しない空測定を行った。
【００９３】
ガス検知管法による第１測定では、各扇風機用脱臭具１０Ａ〜１０Ｄを扇風機３８Ａ，３８Ｂのモーターケース４０（取っ手４３または頂部４２）に設置した後、扇風機用脱臭具１０Ａ〜１０Ｄを設置した扇風機３８Ａ，３８Ｂと攪拌ファン（図示せず）とを図１９，２０に示す測定ボックス６０の内部に収容した。次に、攪拌ファンを稼働させ、設定したガス濃度となるように、測定ボックス６０の内部にガス検知管６１（株式会社ガステック製または光明理化学工業株式会社製）を使用して測定用臭気ガス（アンモニアガス、トリメチルアミンガス、メチルメルカプタンガス、硫化水素ガス、酢酸ガス、アセトアルデヒドガス）を注入した。扇風機用脱臭具１０Ａ〜１０Ｄを設置した扇風機３８Ａ，３８Ｂを稼働させ（風量：微風）、経過時間毎に測定ボックス６０の内部のガス濃度をガス検知管６１を使用して測定した。
【００９４】
ガス検知管法による第２測定では、扇風機用脱臭具１０Ａ〜１０Ｄを設置していない扇風機３８Ａ，３８Ｂ（扇風機３８Ａ，３８Ｂのみ）と攪拌ファン（図示せず）とを測定ボックス６０の内部に収容した。次に、攪拌ファンを稼働させ、設定したガス濃度となるように、測定ボックス６０の内部にガス検知管６１を使用して測定用臭気ガス（アンモニアガス、トリメチルアミンガス、メチルメルカプタンガス、硫化水素ガス、酢酸ガス、アセトアルデヒドガス）を注入した。扇風機３８Ａ，３８Ｂを稼働させ（風量：微風）、経過時間毎に測定ボックス６０の内部のガス濃度をガス検知管６１を使用して測定した。
【００９５】
ガス検知管法による第３測定では、扇風機用脱臭具１０Ａ〜１０Ｄや扇風機３８Ａ，３８Ｂを測定ボックス６０の内部に収容せず（測定ボックス６０の内部が空の状態）、攪拌ファン（図示せず）のみを測定ボックス６０の内部に収容した。次に、攪拌ファンを稼働させ、設定したガス濃度となるように、測定ボックス６０の内部にガス検知管６１を使用して測定用臭気ガス（アンモニアガス、トリメチルアミンガス、メチルメルカプタンガス、硫化水素ガス、酢酸ガス、アセトアルデヒドガス）を注入した。経過時間毎に測定ボックス６０の内部のガス濃度をガス検知管６１を使用して測定した。
【００９６】
図２０は、アンモニアに対する測定結果を示す図である。測定用のアンモニアガスには、アンモニア水（２８％、特級）（小宗化学薬品株式会社）から発生させたアンモニアガスを使用した。アンモニアに対する測定条件は、アンモニア（初期ガス濃度：約３０ppm）、温度条件（室温）、測定時間（０分、１０分、３０分、１時間、３時間、６時間、ただし、測定値が定量下限（１ppm）未満になった時点で終了）である。
【００９７】
図２０に示すように、経過時間０分において第１〜第３測定ではアンモニアガスの濃度が３０ppmであったが、１時間経過後において第１測定ではアンモニアガスの濃度が１８ppmに低下し、３時間経過後において第１測定ではアンモニアガスの濃度が１５ppmに低下し、６時間経過後において第１測定ではアンモニアガスの濃度が１２ppmに低下した。第１測定では、６時間経過後にアンモニアガスの濃度が初期ガス濃度の約１／３に減少したのに比較し、第２および第３測定では、アンモニアガスの濃度の大きな低下は見られなかった。
【００９８】
図２０から明らかなように、扇風機用脱臭具１０Ａ〜１０Ｄを設置した扇風機３８Ａ，３８Ｂでは、アンモニアガスの濃度を確実に低減させることができ、アンモニア臭（し尿臭やたばこ臭）を有効に除去する効果があることが分かった。したがって、扇風機用脱臭具１０Ａ〜１０Ｄは、それらを扇風機３８Ａ，３８Ｂに設置して使用することで、空気に含まれるし尿臭やたばこ臭を確実に除去することができる。また、扇風機用脱臭具１０Ａ〜１０Ｄを設置した扇風機３８Ａ，３８Ｂを所定時間稼働させることで、空気に含まれるし尿臭やたばこ臭を確実に除去することができる。
【００９９】
図２１は、トリメチルアミンに対する測定結果を示す図である。測定用のトリメチルアミンガスには、トリメチルアミン水溶液（２８％）（東京化成工業株式会社）から発生させたトリメチルアミンガスを使用した。トリメチルアミンに対する測定条件は、トリメチルアミン（初期ガス濃度：約２０ppm）、温度条件（室温）、測定時間（０分、１０分、３０分、１時間、３時間、６時間、ただし、測定値が定量下限（１ppm）未満になった時点で終了）である。
【０１００】
図２１に示すように、経過時間０分において、第１〜第３測定ではトリメチルアミンガスの濃度が２０ppmであったが、３０分経過後において第１測定ではトリメチルアミンガスの濃度が３ppmに低下し、１時間経過後において第１測定ではトリメチルアミンガスの濃度が２ppmに低下し、３時間経過後において第１測定ではトリメチルアミンガスの濃度が１ppmに低下した。第１測定では、３時間経過後にトリメチルアミンガスの濃度が初期ガス濃度の１／２０に減少したのに比較し、第２および第３測定では、トリメチルアミンガスの濃度の大きな低下は見られなかった。
【０１０１】
図２１から明らかなように、扇風機用脱臭具１０Ａ〜１０Ｄを設置した扇風機３８Ａ，３８Ｂでは、トリメチルアミンガスの濃度を確実に低減させることができ、トリメチルアミンガス臭（魚の腐敗臭）を有効に除去する効果があることが分かった。したがって、扇風機用脱臭具１０Ａ〜１０Ｄは、それらを扇風機３８Ａ，３８Ｂに設置して使用することで、空気に含まれる魚の腐敗臭（生ゴミの腐敗臭）を確実に除去することができる。また、扇風機用脱臭具１０Ａ〜１０Ｄを設置した扇風機３８Ａ，３８Ｂを所定時間稼働させることで、空気に含まれる魚の腐敗臭（生ゴミの腐敗臭）を確実に除去することができる。
【０１０２】
図２２は、メチルメルカプタンに対する測定結果を示す図である。測定用のメチルメルカプタンガスには、メチルメルカプタンナトリウム水溶液（１５％）（小宗化学薬品株式会社）から発生させたメチルメルカプタンガスを使用した。メチルメルカプタンに対する測定条件は、メチルメルカプタン（初期ガス濃度：約４．０ppm）、温度条件（室温）、測定時間（０分、１０分、３０分、１時間、３時間、６時間、ただし、測定値が定量下限（０．１ppm）未満になった時点で終了）である。
【０１０３】
図２２に示すように、経過時間０分において、第１〜第３測定ではメチルメルカプタンガスの濃度が４．０ppmであったが、１０分経過後において第１測定ではメチルメルカプタンガスの濃度が＜０．１ppmに低下した（測定値が定量下限未満になったので、測定をその時点で終了）。これに対し、第２および第３測定では、メチルメルカプタンガスの濃度の低下は見られなかった。
【０１０４】
図２２から明らかなように、扇風機用脱臭具１０Ａ〜１０Ｄを設置した扇風機３８Ａ，３８Ｂでは、メチルメルカプタンガスの濃度を短時間に確実に低減させることができ、メチルメルカプタンガス臭（タマネギの腐敗臭）を有効に除去する効果があることが分かった。したがって、扇風機用脱臭具１０Ａ〜１０Ｄは、それらを扇風機３８Ａ，３８Ｂに設置して使用することで、空気に含まれるタマネギの腐敗臭（生ゴミの腐敗臭）を確実に除去することができる。また、扇風機用脱臭具１０Ａ〜１０Ｄを設置した扇風機３８Ａ，３８Ｂを所定時間稼働させることで、空気に含まれるタマネギの腐敗臭（生ゴミの腐敗臭）を確実に除去することができる。
【０１０５】
図２３は、硫化水素に対する測定結果を示す図である。測定用の硫化水素ガスには、硫化鉄（ＩＩ）（硫化水素発生用）（小宗化学薬品株式会社）に稀釈酸を加えて発生させた硫化水素ガスを使用した。硫化水素に対する測定条件は、硫化水素（初期ガス濃度：約４．０ppm）、温度条件（室温）、測定時間（０分、１０分、３０分、１時間、３時間、６時間、ただし、測定値が定量下限（０．１ppm）未満になった時点で終了）である。
【０１０６】
図２３に示すように、経過時間０分において、第１〜第３測定では硫化水素ガスの濃度が４．０ppmであったが、１０分経過後において第１測定では硫化水素ガスの濃度が＜０．１ppmに低下した（測定値が定量下限未満になったので、測定をその時点で終了）。これに対し、第２および第３測定では、硫化水素ガスの濃度の低下は見られなかった。
【０１０７】
図２３から明らかなように、扇風機用脱臭具１０Ａ〜１０Ｄを設置した扇風機３８Ａ，３８Ｂでは、硫化水素ガスの濃度を短時間に確実に低減させることができ、硫化水素ガス臭（卵の腐敗臭）を有効に除去する効果があることが分かった。したがって、扇風機用脱臭具１０Ａ〜１０Ｄは、それらを扇風機３８Ａ，３８Ｂに設置して使用することで、空気に含まれる卵の腐敗臭（生ゴミの腐敗臭）を確実に除去することができる。また、扇風機用脱臭具１０Ａ〜１０Ｄを設置した扇風機３８Ａ，３８Ｂを所定時間稼働させることで、空気に含まれる卵の腐敗臭（生ゴミの腐敗臭）を確実に除去することができる。
【０１０８】
図２４は、酢酸に対する測定結果を示す図である。測定用の酢酸ガスには、酢酸（特級）（小宗化学薬品株式会社）から発生させた酢酸ガスを使用した。酢酸に対する測定条件は、酢酸（初期ガス濃度：約５０ppm）、温度条件（室温）、測定時間（０分、１０分、３０分、１時間、３時間、６時間、ただし、測定値が定量下限（１ppm）未満になった時点で終了）である。
【０１０９】
図２４に示すように、経過時間０分において、第１〜第３測定では硫化水素ガスの濃度が５０ppmであったが、１０分経過後において第１測定では硫化水素ガスの濃度が＜１ppmに低下した（測定値が定量下限未満になったので、測定をその時点で終了）。これに対し、第２および第３測定では、硫化水素ガスの濃度の低下は見られなかった。
【０１１０】
図２４から明らかなように、扇風機用脱臭具１０Ａ〜１０Ｄを設置した扇風機３８Ａ，３８Ｂでは、酢酸ガスの濃度を短時間に確実に低減させることができ、酢酸ガス臭を有効に除去する効果があることが分かった。したがって、扇風機用脱臭具１０Ａ〜１０Ｄは、それらを扇風機３８Ａ，３８Ｂに設置して使用することで、空気に含まれる酢酸臭（生ゴミの腐敗臭）を確実に除去することができる。また、扇風機用脱臭具１０Ａ〜１０Ｄを設置した扇風機３８Ａ，３８Ｂを所定時間稼働させることで、空気に含まれる酢酸臭（生ゴミの腐敗臭）を確実に除去することができる。
【０１１１】
図２５は、アセトアルデヒドに対する測定結果を示す図である。測定用のアセトアルデヒドガスには、アセトアルデヒド（一級）（和光純薬工業株式会社）から発生させたアセトアルデヒドガスを使用した。アセトアルデヒドに対する測定条件は、アセトアルデヒド（初期ガス濃度：約２０ppm）、温度条件（室温）、測定時間（０分、１０分、３０分、１時間、３時間、６時間、ただし、測定値が定量下限（１ppm）未満になった時点で終了）である。
【０１１２】
図２５に示すように、経過時間０分において第１〜第３測定ではアセトアルデヒドガスの濃度が２０ppmであったが、１時間経過後において第１測定ではアセトアルデヒドガスの濃度が９ppmに低下し、３時間経過後において第１測定ではアセトアルデヒドガスの濃度が８ppmに低下し、６時間経過後において第１測定ではアセトアルデヒドガスの濃度が６ppmに低下した。第１測定では、６時間経過後にアンモニアガスの濃度が初期ガス濃度の約１／３に減少したのに比較し、第２および第３測定では、アンモニアガスの濃度の変化は見られなかった。
【０１１３】
図２５から明らかなように、扇風機用脱臭具１０Ａ〜１０Ｄを設置した扇風機３８Ａ，３８Ｂでは、アセトアルデヒドガスの濃度を確実に低減させることができ、アセトアルデヒド臭（刺激的な青ぐさい臭い）を有効に除去する効果があることが分かった。したがって、扇風機用脱臭具１０Ａ〜１０Ｄは、それらを扇風機３８Ａ，３８Ｂに設置して使用することで、空気に含まれるアセトアルデヒド臭を確実に除去することができる。また、扇風機用脱臭具１０Ａ〜１０Ｄを設置した扇風機３８Ａ，３８Ｂを所定時間稼働させることで、空気に含まれるアセトアルデヒド臭を確実に除去することができる。
【符号の説明】
【０１１４】
１０Ａ  扇風機用脱臭具
１０Ｂ  扇風機用脱臭具
１０Ｃ  扇風機用脱臭具
１０Ｄ  扇風機用脱臭具
１１    前面
１２    後面
１３    脱臭フィルタ
１４    支持フレーム
１５    上方エリア
１６    第１側方エリア
１７    第２側方エリア
１８    外周縁
１９    内周縁
２０    軟質ポリウレタンフォーム
２１    壁面
２２    通気性ネット
２３    通気路
２４    通気口
２５    外側フレーム
２６    内側フレーム
２７    連結フレーム
２８    第１外周枠
２９    第２外周枠
３０    第３外周枠
３１    第１内周枠
３２    第２内周枠
３３    第３内周枠
３４    スペース
３５    固着手段
３６    フック部材
３７    ループ部材
３８Ａ  扇風機
３８Ｂ  扇風機
３９    後ガード
４０    モーターケース
４１    羽根
４２    頂部
４３    取っ手
４４    ベース
４５    側部
４６    側部
４７    径方向先端部
４８    外周縁
４９    エアフィルタ
【図１】
2016098699.tif 000003
【図２】
2016098699.tif 000004
【図３】
2016098699.tif 000005
【図４】
2016098699.tif 000006
【図５】
2016098699.tif 000007
【図６】
2016098699.tif 000008
【図７】
2016098699.tif 000009
【図８】
2016098699.tif 000010
【図９】
2016098699.tif 000011
【図１０】
2016098699.tif 000012
【図１１】
2016098699.tif 000013
【図１２】
2016098699.tif 000014
【図１３】
2016098699.tif 000015
【図１４】
2016098699.tif 000016
【図１５】
2016098699.tif 000017
【図１６】
2016098699.tif 000018
【図１７】
2016098699.tif 000019
【図１８】
2016098699.tif 000020
【図１９】
2016098699.tif 000021
【図２０】
2016098699.tif 000022
【図２１】
2016098699.tif 000023
【図２２】
2016098699.tif 000024
【図２３】
2016098699.tif 000025
【図２４】
2016098699.tif 000026
【図２５】
2016098699.tif 000027